【事件の表示】
　特願２０１７−２２７２４２「生理的状態監視システムにおいて生理的状態を測定するための生理的状態センサ」拒絶査定不服審判事件〔平成３０年　５月３１日出願公開、特開２０１８−　８５７３１〕について、次のとおり審決する。
【結　論】
　本件審判の請求は、成り立たない。
【理　由】
第１．手続の経緯
　本願は，２０１２年１２月１４日（パリ条約による優先権主張外国庁受理２０１１年１２月１５日（以下，「優先日」という。），アメリカ合衆国）を国際出願日とする出願である特願２０１４−５４７５０９号の一部を平成２９年１１月２７日に新たな特許出願としたものであって，平成２９年１１月２７日付けで上申書が提出され，平成２９年１２月２７日付けで審査請求がなされ，平成３０年６月２９日付けで拒絶理由が通知され，平成３０年１０月１０日付けで意見書が提出されると共に手続補正がなされ，平成３１年３月２６日付けで拒絶理由（最後）が通知され，令和１年７月２日付けで意見書が提出されると共に手続補正がなされたが，令和１年１２月２７日付けで令和１年７月２日付けの手続補正の補正却下の決定がなされると共に拒絶査定がなされ（謄本送達：令和２年１月７日），これに対して令和２年５月７日付けで審判請求がなされると共に手続補正がなされ，令和２年７月１５日付けで前置報告がなされ，令和２年９月２３日付けで上申書の提出がなされたものである。
第２．令和２年５月７日付けの手続補正についての補正の却下の決定 
［補正の却下の決定の結論］ 
　令和２年５月７日付けの手続補正（以下「本件補正」という。）を却下する。 
［理由］
　１．補正の内容
　本件補正により，平成３０年１０月１０日付けの手続補正により補正された特許請求の範囲，
「　【請求項１】
　生理的状態監視システムにおいて生理的状態を測定するための生理的状態センサであって，
　ユーザの生理的状態を測定し，および，生理的状態測定データを生成するためのセンサと，
　生理的状態メータから近接場通信（ＮＦＣ）リンクを介して，ランダムプロセスを使用して生成された秘密鍵を受信するための受信機であって，前記生理的状態センサは，前記秘密鍵を受信するために前記生理的状態メータに近接して配置されなければならない，受信機と，
　前記秘密鍵を使用して前記生理的状態測定データを暗号化するためのコントローラと，
　前記秘密鍵に基づいて，セキュア無線リンクを使用して前記暗号化された生理的状態測定データを前記生理的状態メータに送信するための送信機と
　を備え，
　前記生理的状態メータおよび前記生理的状態センサのいずれも前記秘密鍵の生成に使用するための鍵情報により事前に構成されておらず，
　前記生理的状態センサの識別子は，前記秘密鍵を生成するために前記生理的状態メータに提供される必要がないことを特徴とする生理的状態センサ。
　　【請求項２】
　前記コントローラは，前記送信機により前記センサの動作情報を，前記セキュア無線リンクを介して前記生理的状態メータに送信するように構成され，前記生理的状態メータが前記動作情報に基づいて前記生理的状態センサに前記秘密鍵を送信することができるかを判定するために，前記動作情報は前記生理的状態メータによる処理のための前記生理的状態センサのバッテリ状態，有効期限データ，および損傷のうちの少なくとも１つを含む，請求項１に記載の生理的状態センサ。
　　【請求項３】
　前記生理的状態センサは前記秘密鍵を格納するためのワンタイムプログラマブルメモリを含む，請求項１に記載の生理的状態センサ。
　　【請求項４】
　受信機は，前記生理的状態メータおよび前記生理的状態センサが互いから約２０センチメートル内に配置されるときにのみ，前記秘密鍵を受信するように構成される，請求項１に記載の生理的状態センサ。
　　【請求項５】
　前記生理的状態センサは，前記生理的状態メータにおいて第１の誘導要素と第２の誘導要素との間の誘導リンクを提供するように適合された前記第１の誘導要素を含む，請求項１に記載の生理的状態センサ。
　　【請求項６】
　前記生理的状態センサはエネルギーストレージ要素を含み，前記エネルギーストレージ要素は前記第１の誘導要素における誘導電流により帯電されるように適合され，前記誘導電流は前記第２の誘導要素の電圧印加により誘導される，請求項５に記載の生理的状態センサ。
　　【請求項７】
　生理的状態管理システムにおいて第１および第２の無線機器をペアリングするための方法であって，
　第１の無線機器を第２の無線機器と近接させて配置するステップと，
　近接場通信（ＮＦＣ）リンクを介して通信を確立するために，前記第１および第２の無線機器が互いに近接しているというインジケーションを生成するステップと，
　前記ＮＦＣリンクを介して通信を確立するために，前記第１および第２の無線機器が互いに近接しているというインジケーションに応答して，前記第１の無線機器において，ランダムプロセスを使用して秘密鍵を生成し，前記第２の無線機器と前記秘密鍵を共有する，ステップと，
　前記第１および第２の無線機器の間で，前記ＮＦＣリンクと異なるセキュア無線周波数（ＲＦ）リンクを介して信号を送信するステップであって，前記信号は前記秘密鍵を使用して暗号化される，ステップと，
　を含み，前記秘密鍵は，前記ＮＦＣリンクを確立するために前記第１および第２の無線機器が互いに近接して配置された後で生成される，方法。
　　【請求項８】
　前記信号は生理的状態データを含み，前記第１および第２の無線機器は，生理的状態データを感知すること，生理的状態データを表示すること，選択された期間の間生理的状態データを監視すること，選択された期間の間生理的状態データおよび関連する事象を監視することからなるグループから選択された生理的状態管理動作を実行するように構成され，前記関連する事象は食品の消費および飲料の消費のうちの少なくとも１つを含む，請求項７に記載の方法。
　　【請求項９】
　前記秘密鍵の生成は，前記第２の無線機器の識別子のユーザ入力を利用しない，請求項７に記載の方法。
　　【請求項１０】
　前記第１および第２の無線機器は，ハンドヘルドデバイス，生理的状態センサ，グルコース監視機器，無線医療機器，および生理的状態管理機器，携帯電話，Ａｐｐｌｅ（登録商標）のｉＰｈｏｎｅ（登録商標）デバイス，時計，携帯型エクササイズデバイス，および生理データ監視装置からなるグループから選択される，請求項７に記載の方法。
　　【請求項１１】
　前記インジケーションは，前記第１および第２の無線機器が互いに電気的に結合されたこと，前記第１および第２の無線機器のうちの少なくとも１つにおけるスイッチの作動，前記第１および第２の無線機器のうちの一方が前記第１および第２の無線機器の他方のレセプタクル内に配置されたことの検出，ならびに前記第１および第２の無線機器のうちの少なくとも１つにおける誘導電流の前記第１および第２の無線機器のうちの他の１つによる生成からなるグループから選択された事象に応答して，前記第１および第２の無線機器のうちの少なくとも１つにより生成される，請求項７に記載の方法。
　　【請求項１２】
　前記第１の無線機器は生理的状態監視機器であり，前記第２の無線機器は生理的状態センサであり，
　前記ＮＦＣリンクを介して前記生理的状態監視機器において前記生理的状態センサから動作情報を受信するステップであって，前記動作情報は前記生理的状態センサのバッテリ状態，有効期限データ，および損傷のうちの少なくとも１つを含む，ステップと，
　前記動作情報に基づいて前記生理的状態監視機器が前記生理的状態センサに前記秘密鍵を送信することができるかを判定するステップと，
　をさらに含む，請求項７に記載の方法。
　　【請求項１３】
　前記ＮＦＣリンクは誘導リンクであり，前記セキュア無線リンクの範囲は前記ＮＦＣリンクの範囲を超える，請求項７に記載の方法。
　　【請求項１４】
　前記第１および第２の無線機器は，約２０センチメートル内に配置されたときに近接している，請求項１３に記載の方法。
　　【請求項１５】
　前記第１および第２の無線機器を互いに近接させて配置した後，前記第１および第２の無線機器のうちの一方の誘導要素に電圧を印加するステップと，
　前記第１および第２の無線機器のうちの他方の誘導要素に電流を誘導するステップと，
　をさらに含む，請求項７に記載の方法。
　　【請求項１６】
　前記第１および第２の無線機器のうちの他方に前記誘導される電流からのエネルギーを蓄積するステップをさらに含む，請求項１５に記載の方法。
　　【請求項１７】
　前記第１および第２の無線機器のうちの一方における誘導要素が前記第１および第２の無線機器のうちの他方の誘導要素に電流を誘導するとき，秘密鍵の生成を開始するために，前記ＮＦＣリンクが確立されたというインジケーションを生成するステップをさらに含む，請求項１５に記載の方法。
　　【請求項１８】
　生理的状態管理システムであって，
　生理的状態管理動作を実行するように構成された第１および第２の無線機器であって，前記第１および第２の無線機器のうちの少なくとも１つは前記第１および第２の無線機器が互いに近接しかつ近接場通信（ＮＦＣ）リンクを介して通信を確立している場合にインジケーションを生成するように構成された，第１の無線機器および第２の無線機器を備え，
　前記第１の無線機器は，前記ＮＦＣリンクを介して通信を確立するために，前記第１および第２の無線機器が互いに近接しているというインジケーションに応答して，ランダムプロセスを使用して秘密鍵を生成し，前記第２の無線機器と前記秘密鍵を共有するように構成され，
　前記第１および第２の無線機器は，前記ＮＦＣリンクと異なるセキュア無線周波数（ＲＦ）リンクを介してデータを転送するように構成され，前記ＲＦリンク上で前記データは前記第１および第２の無線機器の少なくとも１つにより前記秘密鍵を使用して暗号化され，かつ前記第１および第２の無線機器のうちの少なくとも他の１つは前記秘密鍵を使用し前記データを復号するように構成され，
　前記秘密鍵は，前記ＮＦＣリンクを確立するために前記第１および第２の無線機器が互いに近接して配置された後で生成される，生理的状態管理システム。
　　【請求項１９】
　前記第１および第２の無線機器のうちの少なくとも１つは，第１の誘導要素と，前記第１および第２の無線機器のうちの他の１つの第２の誘導要素との間の誘導リンクを提供するように適合された前記第１の誘導要素を含む，請求項１８に記載の生理的状態管理システム。
　　【請求項２０】
　前記インジケーションは，前記誘導要素の他方における電圧の印加により誘導される前記誘導要素の一方の誘導電流に応答して生成され送信される，請求項１９に記載の生理的状態管理システム。
　　【請求項２１】
　前記第１および第２の無線機器のうちの少なくとも１つはエネルギーストレージ要素を含み，前記エネルギーストレージ要素は，誘導電流により前記第１の誘導要素および前記第２の誘導要素のうちの対応する１つに帯電されるように適合される，請求項２０に記載の生理的状態管理システム。
　　【請求項２２】
　前記秘密鍵の生成は，前記第１の無線機器において前記第２の無線機器の識別子のユーザ入力を利用しない，請求項１８に記載の生理的状態管理システム。
　　【請求項２３】
　生理的状態管理システムにおいて第２の無線機器と安全にペアリングされる第１の無線機器であって，
　生理的状態管理動作を実行するように構成されたコントローラと，
　生理的状態管理信号を前記第２の無線機器に，または前記第２の無線機器から送信する少なくとも１つの無線通信インタフェースと
　を備え，前記コントローラは，
　　近接場通信（ＮＦＣ）リンクを介して通信を確立するために，前記第１および第２の無線機器が互いに近接しているというインジケーションに応答してランダムプロセスを使用して秘密鍵を生成し，少なくとも１つの無線通信インタフェースを介して前記第２の無線機器と前記秘密鍵を共有し，
　　前記秘密鍵に基づいて前記ＮＦＣリンクと異なるセキュア無線周波数（ＲＦ）リンクを使用して生理的状態管理信号を前記第２の無線機器に送信し，前記第１の無線機器は前記秘密鍵を使用して前記生理的状態管理信号を暗号化するように構成され，
　前記秘密鍵は，生理的状態メータおよび生理的状態センサが互いに近接して配置された後で生成される，第１の無線機器。
　　【請求項２４】
　第１の誘導要素と前記第２の無線機器の第２の誘導要素との間で誘電リンクを提供するように適合された前記第１の誘導要素をさらに備える，請求項２３に記載の第１の無線機器。
　　【請求項２５】
　前記インジケーションは，前記第１の誘導要素の誘導電流に応答して前記第１の無線機器により生成される，請求項２４に記載の第１の無線機器。
　　【請求項２６】
　前記第１の誘導要素は，エネルギーストレージ要素を含み，前記エネルギーストレージ要素は，誘導電流により前記第１の誘導要素に帯電されるように適合される，請求項２５に記載の第１の無線機器。
　　【請求項２７】
　前記コントローラによる前記秘密鍵の生成は，前記第２の無線機器の識別子のユーザ入力を利用しない，請求項２３に記載の第１の無線機器。」（以下，上記引用の請求項各項を，「補正前の請求項」という）は，
「　【請求項１】
　生理的状態監視システムにおいて生理的状態を測定するための生理的状態センサであって，
　ユーザの生理的状態を測定し，および，生理的状態測定データを生成するためのセンサと，
　生理的状態メータから近接場通信（ＮＦＣ）リンクを介して，ランダムプロセスを使用して生成された秘密鍵を受信するための受信機であって，前記生理的状態センサは，前記秘密鍵を受信するために前記生理的状態メータに近接して配置されなければならない，受信機と，
　前記秘密鍵を使用して前記生理的状態測定データを暗号化するためのコントローラと，
　前記秘密鍵に基づいて，セキュア無線リンクを使用して前記暗号化された生理的状態測定データを前記生理的状態メータに送信するための送信機と
　を備え，
　前記生理的状態メータおよび前記生理的状態センサのいずれも前記秘密鍵の生成に使用するための鍵情報により事前に構成されておらず，
　前記生理的状態センサの識別子は，前記秘密鍵を生成するために前記生理的状態メータに提供される必要がなく，
　前記コントローラは，前記送信機により前記センサの動作情報を，前記セキュア無線リンクを介して前記生理的状態メータに送信するように構成され，前記生理的状態メータが前記動作情報に基づいて前記生理的状態センサに前記秘密鍵を送信することができるかを判定するために，前記動作情報は前記生理的状態メータによる処理のための前記生理的状態センサのバッテリ状態，有効期限データ，および損傷のうちの少なくとも１つを含む，生理的状態センサ。
　　【請求項２】
　前記生理的状態センサは前記秘密鍵を格納するためのワンタイムプログラマブルメモリを含む，請求項１に記載の生理的状態センサ。
　　【請求項３】
　受信機は，前記生理的状態メータおよび前記生理的状態センサが互いから約２０センチメートル内に配置されるときにのみ，前記秘密鍵を受信するように構成される，請求項１に記載の生理的状態センサ。
　　【請求項４】
　前記生理的状態センサは，前記生理的状態メータにおいて第１の誘導要素と第２の誘導要素との間の誘導リンクを提供するように適合された前記第１の誘導要素を含む，請求項１に記載の生理的状態センサ。
　　【請求項５】
　前記生理的状態センサはエネルギーストレージ要素を含み，前記エネルギーストレージ要素は前記第１の誘導要素における誘導電流により帯電されるように適合され，前記誘導電流は前記第２の誘導要素の電圧印加により誘導される，請求項４に記載の生理的状態センサ。
　　【請求項６】
　生理的状態管理システムにおいて第１および第２の無線機器をペアリングするための方法であって，
　第１の無線機器を第２の無線機器と近接させて配置するステップと，
　近接場通信（ＮＦＣ）リンクを介して通信を確立するために，前記第１および第２の無線機器が互いに近接しているというインジケーションを生成するステップと，
　前記ＮＦＣリンクを介して通信を確立するために，前記第１および第２の無線機器が互いに近接しているというインジケーションに応答して，前記第１の無線機器において，ランダムプロセスを使用して秘密鍵を生成し，前記第２の無線機器と前記秘密鍵を共有する，ステップと，
　前記第１および第２の無線機器の間で，前記ＮＦＣリンクと異なるセキュア無線周波数（ＲＦ）リンクを介して信号を送信するステップであって，前記信号は前記秘密鍵を使用して暗号化される，ステップと，
　を含み，前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない，方法。
　　【請求項７】
　前記信号は生理的状態データを含み，前記第１および第２の無線機器は，生理的状態データを感知すること，生理的状態データを表示すること，選択された期間の間生理的状態データを監視すること，選択された期間の間生理的状態データおよび関連する事象を監視することからなるグループから選択された生理的状態管理動作を実行するように構成され，前記関連する事象は食品の消費および飲料の消費のうちの少なくとも１つを含む，請求項６に記載の方法。
　　【請求項８】
　前記秘密鍵の生成は，前記第２の無線機器の識別子のユーザ入力を利用しない，請求項６に記載の方法。
　　【請求項９】
　前記第１および第２の無線機器は，ハンドヘルドデバイス，生理的状態センサ，グルコース監視機器，無線医療機器，および生理的状態管理機器，携帯電話，Ａｐｐｌｅ（登録商標）のｉＰｈｏｎｅ（登録商標）デバイス，時計，携帯型エクササイズデバイス，および生理データ監視装置からなるグループから選択される，請求項６に記載の方法。
　　【請求項１０】
　前記インジケーションは，前記第１および第２の無線機器が互いに電気的に結合されたこと，前記第１および第２の無線機器のうちの少なくとも１つにおけるスイッチの作動，前記第１および第２の無線機器のうちの一方が前記第１および第２の無線機器の他方のレセプタクル内に配置されたことの検出，ならびに前記第１および第２の無線機器のうちの少なくとも１つにおける誘導電流の前記第１および第２の無線機器のうちの他の１つによる生成からなるグループから選択された事象に応答して，前記第１および第２の無線機器のうちの少なくとも１つにより生成される，請求項６に記載の方法。
　　【請求項１１】
　前記第１の無線機器は生理的状態監視機器であり，前記第２の無線機器は生理的状態センサであり，
　前記ＮＦＣリンクを介して前記生理的状態監視機器において前記生理的状態センサから動作情報を受信するステップであって，前記動作情報は前記生理的状態センサのバッテリ状態，有効期限データ，および損傷のうちの少なくとも１つを含む，ステップと，
　前記動作情報に基づいて前記生理的状態監視機器が前記生理的状態センサに前記秘密鍵を送信することができるかを判定するステップと，
　をさらに含む，請求項６に記載の方法。
　　【請求項１２】
　前記ＮＦＣリンクは誘導リンクであり，前記セキュア無線周波数リンクの範囲は前記ＮＦＣリンクの範囲を超える，請求項６に記載の方法。
　　【請求項１３】
　前記第１および第２の無線機器は，約２０センチメートル内に配置されたときに近接している，請求項１２に記載の方法。
　　【請求項１４】
　前記第１および第２の無線機器を互いに近接させて配置した後，前記第１および第２の無線機器のうちの一方の誘導要素に電圧を印加するステップと，
　前記第１および第２の無線機器のうちの他方の誘導要素に電流を誘導するステップと，
　をさらに含む，請求項６に記載の方法。
　　【請求項１５】
　前記第１および第２の無線機器のうちの他方に前記誘導される電流からのエネルギーを蓄積するステップをさらに含む，請求項１４に記載の方法。
　　【請求項１６】
　前記第１および第２の無線機器のうちの一方における誘導要素が前記第１および第２の無線機器のうちの他方の誘導要素に電流を誘導するとき，秘密鍵の生成を開始するために，前記ＮＦＣリンクが確立されたというインジケーションを生成するステップをさらに含む，請求項１４に記載の方法。
　　【請求項１７】
　生理的状態管理システムであって，
　生理的状態管理動作を実行するように構成された第１および第２の無線機器であって，前記第１および第２の無線機器のうちの少なくとも１つは前記第１および第２の無線機器が互いに近接しかつ近接場通信（ＮＦＣ）リンクを介して通信を確立している場合にインジケーションを生成するように構成された，第１の無線機器および第２の無線機器を備え，
　前記第１の無線機器は，前記ＮＦＣリンクを介して通信を確立するために，前記第１および第２の無線機器が互いに近接しているというインジケーションに応答して，ランダムプロセスを使用して秘密鍵を生成し，前記第２の無線機器と前記秘密鍵を共有するように構成され，
　前記第１および第２の無線機器は，前記ＮＦＣリンクと異なるセキュア無線周波数（ＲＦ）リンクを介してデータを転送するように構成され，前記ＲＦリンク上で前記データは前記第１および第２の無線機器の少なくとも１つにより前記秘密鍵を使用して暗号化され，かつ前記第１および第２の無線機器のうちの少なくとも他の１つは前記秘密鍵を使用し前記データを復号するように構成され，
　前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない，生理的状態管理システム。
　　【請求項１８】
　前記第１および第２の無線機器のうちの少なくとも１つは，第１の誘導要素と，前記第１および第２の無線機器のうちの他の１つの第２の誘導要素との間の誘導リンクを提供するように適合された前記第１の誘導要素を含む，請求項１７に記載の生理的状態管理システム。
　　【請求項１９】
　前記インジケーションは，前記誘導要素の他方における電圧の印加により誘導される前記誘導要素の一方の誘導電流に応答して生成され送信される，請求項１８に記載の生理的状態管理システム。
　　【請求項２０】
　前記第１および第２の無線機器のうちの少なくとも１つはエネルギーストレージ要素を含み，前記エネルギーストレージ要素は，誘導電流により前記第１の誘導要素および前記第２の誘導要素のうちの対応する１つに帯電されるように適合される，請求項１９に記載の生理的状態管理システム。
　　【請求項２１】
　前記秘密鍵の生成は，前記第１の無線機器において前記第２の無線機器の識別子のユーザ入力を利用しない，請求項１７に記載の生理的状態管理システム。
　　【請求項２２】
　生理的状態管理システムにおいて第２の無線機器と安全にペアリングされる第１の無線機器であって，
　生理的状態管理動作を実行するように構成されたコントローラと，
　生理的状態測定データを前記第２の無線機器に，または前記第２の無線機器から送信する少なくとも１つの無線通信インタフェースと
　を備え，前記コントローラは，
　　近接場通信（ＮＦＣ）リンクを介して通信を確立するために，前記第１および第２の無線機器が互いに近接しているというインジケーションに応答してランダムプロセスを使用して秘密鍵を生成し，少なくとも１つの無線通信インタフェースを介して前記第２の無線機器と前記秘密鍵を共有し，
　　前記秘密鍵に基づいて前記ＮＦＣリンクと異なるセキュア無線周波数（ＲＦ）リンクを使用して生理的状態測定データを前記第２の無線機器に送信し，前記第１の無線機器は前記秘密鍵を使用して前記生理的状態測定データを暗号化するように構成され，
　前記秘密鍵は，生理的状態メータおよび生理的状態センサが互いに近接して配置された後で生成され，
　前記第１または第２の無線機器の識別子は前記秘密鍵を生成するために前記第２の無線機器に提供される必要がない，第１の無線機器。
　　【請求項２３】
　第１の誘導要素と前記第２の無線機器の第２の誘導要素との間で誘電リンクを提供するように適合された前記第１の誘導要素をさらに備える，請求項２２に記載の第１の無線機器。
　　【請求項２４】
　前記インジケーションは，前記第１の誘導要素の誘導電流に応答して前記第１の無線機器により生成される，請求項２３に記載の第１の無線機器。
　　【請求項２５】
　前記第１の誘導要素は，エネルギーストレージ要素を含み，前記エネルギーストレージ要素は，誘導電流により前記第１の誘導要素に帯電されるように適合される，請求項２４に記載の第１の無線機器。
　　【請求項２６】
　前記コントローラによる前記秘密鍵の生成は，前記第２の無線機器の識別子のユーザ入力を利用しない，請求項２２に記載の第１の無線機器。」（以下，上記引用の請求項各項を，「補正後の請求項」という）に補正された。
　
　２．補正の適否
（１）新規事項及び目的要件
　本件補正は，補正前の請求項１に記載の，
「コントローラ」を，補正前の請求項２の記載に基づいて，
「前記コントローラは，前記送信機により前記センサの動作情報を，前記セキュア無線リンクを介して前記生理的状態メータに送信するように構成され，前記生理的状態メータが前記動作情報に基づいて前記生理的状態センサに前記秘密鍵を送信することができるかを判定するために，前記動作情報は前記生理的状態メータによる処理のための前記生理的状態センサのバッテリ状態，有効期限データ，および損傷のうちの少なくとも１つを含む，」と補正して，補正後の請求項１とし，
　補正前の請求項２を削除し，
　補正前の請求項７に記載の，
「前記秘密鍵は，前記ＮＦＣリンクを確立するために前記第１および第２の無線機器が互いに近接して配置された後で生成される」を，
「前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない」と補正して，補正後の請求項６とし，
　補正前の請求項１３に記載の，
「前記セキュア無線リンク」を，
「前記セキュア無線周波数リンク」と補正して，補正後の請求項１２とし，
　補正前の請求項１８に記載の，
「前記秘密鍵は，前記ＮＦＣリンクを確立するために前記第１および第２の無線機器が互いに近接して配置された後で生成される」を，
「前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない」と補正して，補正後の請求項１７とし，
　補正前の請求項２３に記載の，
「生理的状態管理信号」を，
「生理的状態測定データ」と補正して，補正後の請求項２２とし，
　補正前の請求項２３に記載の，
「前記秘密鍵は，生理的状態メータおよび生理的状態センサが互いに近接して配置された後で生成される」を，
「前記秘密鍵は，生理的状態メータおよび生理的状態センサが互いに近接して配置された後で生成され，
　前記第１または第２の無線機器の識別子は前記秘密鍵を生成するために前記第２の無線機器に提供される必要がない」と補正して，補正後の請求項２２とするものである。
　上記補正は，本願の願書に最初に添付された明細書，特許請求の範囲，又は図面に記載された事項の範囲内でなされたものであるから，本件補正は，特許法１７条の２第３項の規定を満たすものである。
　また，補正前の請求項７，補正前の請求項１８，及び，補正前の請求項２３に係る補正は，それぞれ，補正前の請求項７，補正前の請求項１８，及び，補正前の請求項２３に記載した発明を特定するために必要な事項を限定するものであるから，特許法１７条の２第５項２号に規定される特許請求の範囲の減縮を目的とするものである。
（２）独立特許要件
　上記（１）に検討したとおり，本件補正は，願書に最初に添付された明細書，特許請求の範囲，又は図面に記載された事項の範囲内でなされたものであり，かつ，特許請求の範囲の減縮を目的とするものであるので，本件補正が，特許法１７条の２第６項において準用する同法１２６条７項の規定を満たすものであるか否か，即ち，補正後の請求項に記載されている事項により特定される発明が特許出願の際独立して特許を受けることができるものであるか否か，以下に検討する。
　ア　本件補正発明
　本件補正により補正された請求項６に係る発明（以下，「本件補正発明」という）は，上記「１．補正の内容」において，補正後の請求項６として引用された，次のとおりのものである。
　
「生理的状態管理システムにおいて第１および第２の無線機器をペアリングするための方法であって，
　第１の無線機器を第２の無線機器と近接させて配置するステップと，
　近接場通信（ＮＦＣ）リンクを介して通信を確立するために，前記第１および第２の無線機器が互いに近接しているというインジケーションを生成するステップと，
　前記ＮＦＣリンクを介して通信を確立するために，前記第１および第２の無線機器が互いに近接しているというインジケーションに応答して，前記第１の無線機器において，ランダムプロセスを使用して秘密鍵を生成し，前記第２の無線機器と前記秘密鍵を共有する，ステップと，
　前記第１および第２の無線機器の間で，前記ＮＦＣリンクと異なるセキュア無線周波数（ＲＦ）リンクを介して信号を送信するステップであって，前記信号は前記秘密鍵を使用して暗号化される，ステップと，
　を含み，前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない，方法。」
　
　イ　引用文献
（ア）引用文献５に記載の事項
　原査定の拒絶の理由で引用文献５として引用された，本願の優先日前に頒布された又は電気通信回線を通じて公衆に利用可能となった引用文献である，特開２００６−１４０７６号公報（２００６年１月１２日出願公開。以下「引用文献５」という。）には，関連する図面と共に，次の事項が記載されている。（下線は，当審において付加したものである。以下，同じ。）
　ａ　「【００４０】
　
図２に示すように，
セキュア通信装置２０は，ＮＦＣ通信可能な能動通信部１０１と，
広域通信部１０４と
を備えた通信装置である
【００４１】
　
セキュア通信装置２０は，セキュア通信機能搭載機器１０
に備わる装置である
【００４２】
　
上記能動通信部１０１は，上述のＮＦＣ通信機能を備えたイニシエータであり，
ターゲットである受動通信部に対して電磁波を発生する
上記能動通信部１０１には，近接通信または広域通信で用いられるＩＤが予め割当てられ
　ｂ　「【００４７】
　復号器１０３は，能動通信部１０１が受信した暗号化セッション鍵等の暗号化データを非対称鍵生成部１０２が生成した復号鍵で復号する。なお，受信した暗号化データが暗号化セッション鍵の場合，復号されるとセッション鍵となり，その
セッション鍵は後述する広域通信部１０４にて通信する際の暗号化／復号するための共通鍵となる。
【００４８】
　
広域通信部１０４は，例えばＢｌｕｅｔｏｏｔｈ等の広域通信にてデータを送受信する機能を有する
広域通信にてデータを送信する際には，予め割当てられた相手のＩＤを指定して
送信する必要がある
　ｃ　「【００５２】
　
図３に示すように，
セキュア通信装置２２は，ＮＦＣ通信可能な受動通信部１０６と
乱数発生器１０８と
広域通信部１０９と
を備えた通信装置である
【００５３】
　
セキュア通信装置２２は，
セキュア通信機能搭載機器１０
に備わる装置である
（中略）
【００５７】
　
乱数発生器１０８は，ランダムに所定の桁数からなる乱数を発生する。発生した乱数は，セッション鍵（以下，乱数と記載する場合もある。）のビットパターンとして用いられる。
【００５８】
　なお，本実施の形態にかかる
乱数発生器１０８は，例えば，高周波発振回路をサンプリングして真性乱数を発生するハードウェアから構成された回路等である
　ｄ　「【００７６】
　次に，図５を参照しながら，本実施の形態にかかる通信システム１００における一連の通信処理について説明する。
図５は，本実施の形態にかかる通信システムにおける一連の通信処理の概略を示すシーケンス図である
【００７７】
　図５に示すように，
セキュア通信機能搭載機器１０ａとセキュア通信機能搭載機器１０ｂとが通信処理を行う場合，まず近接通信でセキュア通信を確立する必要がある
近接通信するため上記セキュア通信機能搭載機器１０ａとセキュア通信機能搭載機器１０ｂとを近接通信可能な範囲まで予め移動させる
【００７８】
　ここで，図６を参照しながら，本実施の形態にかかるセキュア通信機能搭載機器１０ａとセキュア通信機能搭載機器１０ｂとが近接通信可能な範囲に存在する場合について説明する。図６は，本実施の形態にかかるセキュア通信機能搭載機器１０ａとセキュア通信機能搭載機器１０ｂとの近接通信の概略を示す説明図である。
【００７９】
　図６に示すように，
セキュア通信機能搭載機器１０ａとセキュア通信機能搭載機器１０ｂとが，例えば，１０ｃｍ程度の距離の範囲内に接近することで，双方の機器は近接通信可能な範囲に入り
　ｅ　「【００８１】
　図７に示すように，イニシエータであるセキュア通信機能搭載機器１０ａと，ターゲットであるセキュア通信機能搭載機器１０ｂとセキュア通信機能搭載機器１０ａとが存在する。また，セキュア通信機能搭載機器１０ａは電磁波を外界に発している。
【００８２】
　なお，セキュア通信機能搭載機器１０ａは，例えば自ら発している磁界の変化を１％以上であれば検出できるものとする。つまり，
セキュア通信機能搭載機器１０ａは，外部からのセキュア通信搭載機器１０による磁界の変化が１％以上であれば，その変化がそのセキュア通信搭載機器１０による応答であると判断することができる。
【００８３】
　図７に示すように，
セキュア通信機能搭載機器１０ｂは，セキュア通信機能搭載機器１０ａが発生した磁界（又は電磁波）を４％吸収することができる。そして，セキュア通信機能搭載機器１０ｂは，発生している磁界を１％以上変化させるように，その吸収した磁界を反射することで，セキュア通信機能搭載機器１０ａに応答することができる。
【００８４】
　
つまり，図７に示すセキュア通信機能搭載機器１０ｂは，セキュア通信機能搭載機器１０ａと例えば１０ｃｍ程度離れた近接通信可能な範囲内に存在する。
　ｆ　「【００９５】
　再び，図５に戻ると，
まず最初にセキュア通信機能搭載機器１０ａの能動通信部１０１は，ステップＳ５０１において，ポーリング（問合せ処理）を実行し，セキュア通信機能搭載機器１０ｂの受動通信部１０６は，そのポーリングを受信し，ステップＳ５０２において，そのポーリングに対する応答を，能動通信部１０１に送信する
【００９６】
　なお，図５に示すセキュア通信機能搭載機器１０ａとセキュア通信機能搭載機器１０ａとの間は，上記説明した近接通信可能な範囲に存在しているものとする。
【００９７】
　
能動通信部１０１は，受動通信部１０６から，ポーリングに対する応答が送信されてくると，その応答を受信し，暗号化鍵と復号鍵とを生成し，そのうち暗号化鍵と能動通信部１０１に割当てられたＩＤ（例えば，ＮＦＣＩＤ等）を送信する（Ｓ５０３）。
【００９８】
　
受動通信部１０６は，上記暗号化鍵とＩＤとを受信すると，乱数発生部１０８によって乱数がランダムに生成される（Ｓ５０４）。その発生した乱数が上述の通りセッション鍵として用いられる。
【００９９】
　次に，
暗号化器１０７は，生成されたセッション鍵を既に受信している上記暗号化鍵で暗号化する（Ｓ５０５）。暗号化されたセッション鍵（暗号化セッション鍵）は，受動通信部１０６に割当てられたＩＤ（例えば，ＮＦＣＩＤ等）とともに能動通信部１０１に送信される（Ｓ５０６）。
【０１００】
　
能動通信部１０１が，上記暗号化セッション鍵とＩＤとを受信すると，復号器１０３は，その暗号化セッション鍵を既に生成された復号鍵で復号し（Ｓ５０７），セッション鍵を得る
【０１０１】
　
能動通信部１０１が受動通信部１０６からＩＤを受信することで，通信相手である受動通信部１０６（セキュア通信機能搭載機器１０ｂ）を特定することができる。また，受動通信部１０６は，暗号化鍵とともに受信するＩＤによって，通信相手である能動通信部１０１（セキュア通信機能搭載機器１０ａ）を特定することができる
【０１０２】
　
復号されたセッション鍵は，暗号化／復号器１０５に伝送されるとともに，能動通信部１０１が受信した受動通信部１０６のＩＤは広域通信部１０４に送信される。また一方でも，受動通信部１０６が受信した能動通信部１０１のＩＤは広域通信部１０９に伝送され，乱数発生器１０８で発生したセッション鍵は，暗号化／復号器１１０に伝送される。したがって，広域通信部１０４と広域通信部１０９との間でも双方で通信相手を特定することができる
【０１０３】
　
復号器１０３でセッション鍵に復号されると（Ｓ５０７），切換え部１０６は，能動通信部１０１を介して，受動通信部１０６に対し，ＮＦＣ等の近接通信からＢｌｕｅｔｏｏｔｈ等の広域通信に切り換える切り換え要求（例えば，通信切り替え要求信号またはメディアハンドオーバリクエストなど）を送信する
【０１０４】
　なお，例えば，ＮＦＣとＢｌｕｅｔｏｏｔｈとを比べても，Ｂｌｕｅｔｏｏｔｈ通信の方が高伝送レートであり，大容量のデータの送信を，ＮＦＣによる通信よりも，迅速かつ効率的に行え，通信可能範囲も広いため，携帯電話をヘッドセットで手放しで通話する場合等，近接通信から広域通信に切換えるのが有益である。
【０１０５】
　なお，切換え要求の際に，既に近接通信の際に取得したＮＦＣＩＤ等の識別情報の他に，双方のセキュア通信機能搭載機器１０同士で，広域通信に必要な通信情報が交換される。広域通信に必要な通信情報としては，例えば，広域通信において，通信相手を特定するＢｌｕｅｔｏｏｔｈ Ｄｅｖｉｃｅアドレスなどを例示することができる。
【０１０６】
　
次に，受動通信部１０６が切換え要求を受信すると，受動通信部１０６は，能動通信部１０１からの切り換え要求に対する応答（例えば，メディアハンドオーバレスポンス）を，能動通信部１０１に送信し（Ｓ５０９），能動通信部１０１は，その応答を受信する
【０１０７】
　
その後，セキュア通信機能搭載機器１０ａは，能動通信部１０１による近接通信から，広域通信部１０４によるＢｌｕｅｔｏｏｔｈ等の広域通信への切り換え（ハンドオーバ）を行う（Ｓ５１１）。さらに，セキュア通信機能搭載機器１０ｂも，受動通信部１０６が行う近接通信から，広域通信部１０９による広域通信への切り換え（ハンドオーバ）を行う（Ｓ５１０）。
【０１０８】
　
そして，双方のセキュア通信機能搭載機器１０ａとセキュア通信機能搭載機器１０ｂとがセッション鍵を共有することができたことで，セキュア通信が確立し，能動通信部１０１と受動通信部１０６との間で近接通信が終了する（Ｓ５１２）。
【０１０９】
　
その後，新たに切換えられた広域通信部１０４と広域通信部１０９との間で，近接通信で共有したセッション鍵を用いてセキュアなデータ通信が行われる（Ｓ５１３）。
　ｇ　「図２  
」
　ｈ　「図３
」
　ｉ　「図５
」
　ｊ　「図７
」
（イ）上記記載事項について検討する。
　上記ｄの段落００７６の「図５は，本実施の形態にかかる通信システムにおける一連の通信処理の概略を示すシーケンス図である」との記載，上記ｄの段落００７７の「セキュア通信機能搭載機器１０ａとセキュア通信機能搭載機器１０ｂとが通信処理を行う場合，まず近接通信でセキュア通信を確立する必要がある」との記載，及び上記ｉで引用した図５の記載から，引用文献５には，「通信システムにおいて，セキュア通信機能搭載機器１０ａとセキュア通信機能搭載機器１０ｂとが通信処理を行う方法」が記載されていると認められる。
　上記ａの段落００４０の「図２に示すように」，「セキュア通信装置２０は，ＮＦＣ通信可能な能動通信部１０１と」，「広域通信部１０４と」「を備えた通信装置である」との記載，上記ａの段落００４１の「セキュア通信装置２０は，セキュア通信機能搭載機器１０」「に備わる装置である」との記載，及び上記ｇで引用した図２の記載から，引用文献５には，「セキュア通信機能搭載機器１０は，セキュア通信装置２０を備え，前記セキュア通信装置２０は，ＮＦＣ通信可能な能動通信部１０１と，広域通信部１０４とを備えたものであ」ることが記載されていると認められる。
　また，上記ｃの段落００５２の「図３に示すように」，「セキュア通信装置２２は，ＮＦＣ通信可能な受動通信部１０６と」，「乱数発生器１０８と」，「広域通信部１０９と」「を備えた通信装置である」との記載，上記ｃの段落００５３の「セキュア通信装置２２は」，「セキュア通信機能搭載機器１０」「に備わる装置である」との記載，及び上記ｈで引用した図３の記載から，引用文献５には，「セキュア通信機能搭載機器１０は，セキュア通信装置２２を備え，前記セキュア通信装置２２は，ＮＦＣ通信可能な受動通信部１０６と，乱数発生器１０８と，広域通信部１０９とを備えたものであ」ることが記載されていると認められる。
　そして，上記「セキュア通信機能搭載機器１０ａ，及び，１０ｂ」は，「セキュア通信機能搭載機器１０」が備える構成を備えていることは明らかである。
　そうすると，引用文献５には，「セキュア通信機能搭載機器１０ａ，及び，１０ｂのそれぞれは，セキュア通信装置２０及びセキュア通信装置２２を備え，前記セキュア通信装置２０は，ＮＦＣ通信可能な能動通信部１０１と，広域通信部１０４とを備え，また，前記セキュア通信装置２２は，ＮＦＣ通信可能な受動通信部１０６と，乱数発生器１０８と，広域通信部１０９とを備えたものであ」ることが記載されていると認められる。
　上記ｃの段落００５７の「乱数発生器１０８は，ランダムに所定の桁数からなる乱数を発生する。発生した乱数は，セッション鍵（以下，乱数と記載する場合もある。）のビットパターンとして用いられる。」との記載，及び上記ｃの段落００５８の「乱数発生器１０８は，例えば，高周波発振回路をサンプリングして真性乱数を発生するハードウェアから構成された回路等である」との記載から，引用文献５には，「乱数発生器１０８は，高周波発振回路をサンプリングして真性乱数を発生するハードウェアから構成された回路等であり，乱数発生器１０８は，ランダムに所定の桁数からなる乱数を発生し，発生した乱数は，セッション鍵のビットパターンとして用いられ」ることが記載されていると認められる。
　上記ｄの段落００７７の「セキュア通信機能搭載機器１０ａとセキュア通信機能搭載機器１０ｂとが通信処理を行う場合，まず近接通信でセキュア通信を確立する必要がある」との記載，同じく段落００７７の「近接通信するため上記セキュア通信機能搭載機器１０ａとセキュア通信機能搭載機器１０ｂとを近接通信可能な範囲まで予め移動させる」との記載，及び上記ｄの段落００７９の「セキュア通信機能搭載機器１０ａとセキュア通信機能搭載機器１０ｂとが，例えば，１０ｃｍ程度の距離の範囲内に接近することで，双方の機器は近接通信可能な範囲に入り」との記載から，引用文献５には，「セキュア通信機能搭載機器１０ａとセキュア通信機能搭載機器１０ｂとが通信処理を行う場合，まず近接通信でセキュア通信を確立する必要があるため，上記セキュア通信機能搭載機器１０ａとセキュア通信機能搭載機器１０ｂとを，近接通信可能な範囲である１０ｃｍ程度の距離の範囲まで予め移動させ」ることが記載されていると認められる。
　上記ｆの段落００９５の「まず最初にセキュア通信機能搭載機器１０ａの能動通信部１０１は，ステップＳ５０１において，ポーリング（問合せ処理）を実行し，セキュア通信機能搭載機器１０ｂの受動通信部１０６は，そのポーリングを受信し，ステップＳ５０２において，そのポーリングに対する応答を，能動通信部１０１に送信する」との記載，及び上記ｉで引用した図５の記載から，引用文献５には，「まず最初にセキュア通信機能搭載機器１０ａの能動通信部１０１は，ポーリング（問合せ処理）を実行し，セキュア通信機能搭載機器１０ｂの受動通信部１０６は，そのポーリングを受信し，そのポーリングに対する応答を，能動通信部１０１に送信」することが記載されていると認められる。
　上記ｆの段落００９７の「能動通信部１０１は，受動通信部１０６から，ポーリングに対する応答が送信されてくると，その応答を受信し，暗号化鍵と復号鍵とを生成し，そのうち暗号化鍵と能動通信部１０１に割当てられたＩＤ（例えば，ＮＦＣＩＤ等）を送信する（Ｓ５０３）。」との記載，及び上記ｉで引用した図５の記載から，引用文献５には，「セキュア通信機能搭載機器１０ａの能動通信部１０１は，セキュア通信機能搭載機器１０ｂの受動通信部１０６から，ポーリングに対する応答が送信されてくると，その応答を受信し，暗号化鍵と復号鍵とを生成し，そのうち暗号化鍵と能動通信部１０１に割当てられたＩＤ（例えば，ＮＦＣＩＤ等）をセキュア通信機能搭載機器１０ｂの受動通信部１０６へ送信」することが記載されていると認められる。
　上記ｆの段落００９８の「受動通信部１０６は，上記暗号化鍵とＩＤとを受信すると，乱数発生部１０８によって乱数がランダムに生成される（Ｓ５０４）。その発生した乱数が上述の通りセッション鍵として用いられる。」との記載，上記ｈで引用した図３の記載，及び上記ｉで引用した図５の記載から，引用文献５には，「セキュア通信機能搭載機器１０ｂの受動通信部１０６が，上記暗号化鍵とＩＤとを受信すると，セキュア通信機能搭載機器１０ｂの乱数発生部１０８は，セッション鍵として用いられる乱数をランダムに生成」することが記載されていると認められる。
　上記ｆの段落００９９の「暗号化器１０７は，生成されたセッション鍵を既に受信している上記暗号化鍵で暗号化する（Ｓ５０５）。暗号化されたセッション鍵（暗号化セッション鍵）は，受動通信部１０６に割当てられたＩＤ（例えば，ＮＦＣＩＤ等）とともに能動通信部１０１に送信される（Ｓ５０３）。」との記載，上記ｈで引用した図３の記載，及び上記ｉで引用した図５の記載から，引用文献５には，「セキュア通信機能搭載機器１０ｂの暗号化器１０７は，生成されたセッション鍵を既に受信している上記暗号化鍵で暗号化し，暗号化されたセッション鍵である暗号化セッション鍵を，セキュア通信機能搭載機器１０ｂの受動通信部１０６に割当てられたＩＤ（例えば，ＮＦＣＩＤ等）とともにセキュア通信機能搭載機器１０ａの能動通信部１０１に送信」することが記載されていると認められる。
　上記ｆの段落０１００の「能動通信部１０１が，上記暗号化セッション鍵とＩＤとを受信すると，復号器１０３は，その暗号化セッション鍵を既に生成された復号鍵で復号し（Ｓ５０７），セッション鍵を得る」との記載，上記ｇで引用した図２の記載，及び上記ｉで引用した図５の記載から，引用文献５には，「セキュア通信機能搭載機器１０ａの能動通信部１０１が，上記暗号化セッション鍵とＩＤとを受信すると，セキュア通信機能搭載機器１０ａの復号器１０３は，その暗号化セッション鍵を既に生成された復号鍵で復号してセッション鍵を得」ることが記載されていると認められる。
　上記ｆの段落０１０３の「復号器１０３でセッション鍵に復号されると（Ｓ５０７），切換え部１０６は，能動通信部１０１を介して，受動通信部１０６に対し，ＮＦＣ等の近接通信からＢｌｕｅｔｏｏｔｈ等の広域通信に切り換える切り換え要求（例えば，通信切り替え要求信号またはメディアハンドオーバリクエストなど）を送信する」との記載，上記ｇで引用した図２の記載，及び上記ｉで引用した図５の記載から，引用文献５には，「復号器１０３でセッション鍵に復号されると，セキュア通信機能搭載機器１０ａの切換え部１０６は，能動通信部１０１を介して，セキュア通信機能搭載機器１０ｂの受動通信部１０６に対し，ＮＦＣ等の近接通信からＢｌｕｅｔｏｏｔｈ等の広域通信に切り換える切り換え要求を送信」することが記載されていると認められる。
　上記ｆの段落０１０６の「次に，受動通信部１０６が切換え要求を受信すると，受動通信部１０６は，能動通信部１０１からの切り換え要求に対する応答（例えば，メディアハンドオーバレスポンス）を，能動通信部１０１に送信し（Ｓ５０９），能動通信部１０１は，その応答を受信する」との記載，及び上記ｉで引用した図５の記載から，引用文献５には，「次に，セキュア通信機能搭載機器１０ｂの受動通信部１０６が切換え要求を受信すると，受動通信部１０６は，セキュア通信機能搭載機器１０ａの能動通信部１０１からの切り換え要求に対する応答を，セキュア通信機能搭載機器１０ａの能動通信部１０１に送信し，セキュア通信機能搭載機器１０ａの能動通信部１０１は，その応答を受信」することが記載されていると認められる。
　上記ｆの段落０１０７の「その後，セキュア通信機能搭載機器１０ａは，能動通信部１０１による近接通信から，広域通信部１０４によるＢｌｕｅｔｏｏｔｈ等の広域通信への切り換え（ハンドオーバ）を行う（Ｓ５１１）。さらに，セキュア通信機能搭載機器１０ｂも，受動通信部１０６が行う近接通信から，広域通信部１０９による広域通信への切り換え（ハンドオーバ）を行う（Ｓ５１０）。」との記載，及び上記ｉで引用した図５の記載から，引用文献５には，「その後，セキュア通信機能搭載機器１０ａは，能動通信部１０１による近接通信から，広域通信部１０４によるＢｌｕｅｔｏｏｔｈ等の広域通信への切り換え（ハンドオーバ）を行い，さらに，セキュア通信機能搭載機器１０ｂも，受動通信部１０６が行う近接通信から，広域通信部１０９による広域通信への切り換え（ハンドオーバ）を行」うことが記載されていると認められる。
　上記ｆの段落０１０８の「そして，双方のセキュア通信機能搭載機器１０ａとセキュア通信機能搭載機器１０ｂとがセッション鍵を共有することができたことで，セキュア通信が確立し，能動通信部１０１と受動通信部１０６との間で近接通信が終了する（Ｓ５１２）。」との記載，及び上記ｉで引用した図５の記載から，引用文献５には，「双方のセキュア通信機能搭載機器１０ａとセキュア通信機能搭載機器１０ｂとがセッション鍵を共有することができたことで，セキュア通信が確立し，セキュア通信機能搭載機器１０ａの能動通信部１０１とセキュア通信機能搭載機器１０ｂの受動通信部１０６との間で近接通信が終了」することが記載されていると認められる。
　上記ｆの段落０１０９の「その後，新たに切換えられた広域通信部１０４と広域通信部１０９との間で，近接通信で共有したセッション鍵を用いてセキュアなデータ通信が行われる（Ｓ５１３）。」との記載，上記ｇで引用した図２の記載，上記ｈで引用した図３の記載，及び上記ｉで引用した図５の記載から，引用文献５には，「新たに切換えられたセキュア通信機能搭載機器１０ａの広域通信部１０４とセキュア通信機能搭載機器１０ｂの広域通信部１０９との間で，近接通信で共有したセッション鍵を用いてセキュアなデータ通信が行われ」ることが記載されていると認められる。
　上記ｂの段落００４７の「セッション鍵は後述する広域通信部１０４にて通信する際の暗号化／復号するための共通鍵となる。」との記載から，引用文献５には，「セッション鍵は，広域通信部１０４にて通信する際の暗号化／復号するための共通鍵とな」ることが記載されていると認められる。
　上記ｆの段落０１０１の「能動通信部１０１が受動通信部１０６からＩＤを受信することで，通信相手である受動通信部１０６（セキュア通信機能搭載機器１０ｂ）を特定することができる。また，受動通信部１０６は，暗号化鍵とともに受信するＩＤによって，通信相手である能動通信部１０１（セキュア通信機能搭載機器１０ａ）を特定することができる」との記載，及び上記ｉで引用した図５の記載から，引用文献５には，「セキュア通信機能搭載機器１０ａの能動通信部１０１は，セキュア通信機能搭載機器１０ｂの受動通信部１０６からＩＤを受信することで，通信相手である受動通信部１０６（セキュア通信機能搭載機器１０ｂ）を特定することができ，また，セキュア通信機能搭載機器１０ｂの受動通信部１０６は，暗号化鍵とともに受信するＩＤによって，通信相手である能動通信部１０１（セキュア通信機能搭載機器１０ａ）を特定することができ」ることが記載されていると認められる。
　上記ｆの段落０１０２の「復号されたセッション鍵は，暗号化／復号器１０５に伝送されるとともに，能動通信部１０１が受信した受動通信部１０６のＩＤは広域通信部１０４に送信される。また一方でも，受動通信部１０６が受信した能動通信部１０１のＩＤは広域通信部１０９に伝送され，乱数発生器１０８で発生したセッション鍵は，暗号化／復号器１１０に伝送される。したがって，広域通信部１０４と広域通信部１０９との間でも双方で通信相手を特定することができる」との記載，上記ｇで引用した図２の記載，上記ｈで引用した図３の記載，及び上記ｉで引用した図５の記載から，引用文献５には，「セキュア通信機能搭載機器１０ａの能動通信部１０１が受信したセキュア通信機能搭載機器１０ｂの受動通信部１０６のＩＤはセキュア通信機能搭載機器１０ａの広域通信部１０４に送信され，また，セキュア通信機能搭載機器１０ｂの受動通信部１０６が受信したセキュア通信機能搭載機器１０ａの能動通信部１０１のＩＤはセキュア通信機能搭載機器１０ｂの広域通信部１０９に伝送され，これにより，セキュア通信機能搭載機器１０ａの広域通信部１０４とセキュア通信機能搭載機器１０ｂの広域通信部１０９との間でも双方で通信相手を特定することができ」ることが記載されていると認められる。
　上記ｅの段落００８２の「セキュア通信機能搭載機器１０ａは，外部からのセキュア通信搭載機器１０による磁界の変化が１％以上であれば，その変化がそのセキュア通信搭載機器１０による応答であると判断することができる。」との記載，上記ｅの段落００８３の「セキュア通信機能搭載機器１０ｂは，セキュア通信機能搭載機器１０ａが発生した磁界（又は電磁波）を４％吸収することができる。そして，セキュア通信機能搭載機器１０ｂは，発生している磁界を１％以上変化させるように，その吸収した磁界を反射することで，セキュア通信機能搭載機器１０ａに応答することができる。」との記載，上記ｅの段落００８４の「つまり，図７に示すセキュア通信機能搭載機器１０ｂは，セキュア通信機能搭載機器１０ａと例えば１０ｃｍ程度離れた近接通信可能な範囲内に存在する。」との記載，及び上記ｊで引用した図７の記載から，引用文献５には，「セキュア通信機能搭載機器１０ａは，外部からのセキュア通信搭載機器１０による磁界の変化が１％以上であれば，その変化がそのセキュア通信搭載機器１０による応答であると判断することができ，セキュア通信機能搭載機器１０ａと１０ｃｍ程度離れた近接通信可能な範囲内に存在するセキュア通信機能搭載機器１０ｂは，セキュア通信機能搭載機器１０ａが発生した磁界（又は電磁波）を４％吸収することができるので，セキュア通信機能搭載機器１０ｂは，発生している磁界を１％以上変化させるように，その吸収した磁界を反射することで，セキュア通信機能搭載機器１０ａに応答することができる」ことが記載されていると認められる。
（ウ）引用発明
　したがって，引用文献５の上記各記載及び図面の記載を総合すると，引用文献５には，次の発明（以下，「引用発明」という。）が記載されていると認められる。
（引用発明）
　通信システムにおいて，セキュア通信機能搭載機器１０ａとセキュア通信機能搭載機器１０ｂとが通信処理を行う方法であって，
　前記セキュア通信機能搭載機器１０ａ，及び，１０ｂのそれぞれは，セキュア通信装置２０及びセキュア通信装置２２を備え，前記セキュア通信装置２０は，ＮＦＣ通信可能な能動通信部１０１と，広域通信部１０４とを備え，また，前記セキュア通信装置２２は，ＮＦＣ通信可能な受動通信部１０６と，乱数発生器１０８と，広域通信部１０９とを備えたものであり，
　前記乱数発生器１０８は，高周波発振回路をサンプリングして真性乱数を発生するハードウェアから構成された回路等であり，乱数発生器１０８は，ランダムに所定の桁数からなる乱数を発生し，発生した乱数は，セッション鍵のビットパターンとして用いられるものであり，
　セキュア通信機能搭載機器１０ａとセキュア通信機能搭載機器１０ｂとが通信処理を行う場合，まず近接通信でセキュア通信を確立する必要があるため，上記セキュア通信機能搭載機器１０ａとセキュア通信機能搭載機器１０ｂとを，近接通信可能な範囲である１０ｃｍ程度の距離の範囲まで予め移動させ，
　まず最初にセキュア通信機能搭載機器１０ａの能動通信部１０１は，ポーリング（問合せ処理）を実行し，セキュア通信機能搭載機器１０ｂの受動通信部１０６は，そのポーリングを受信し，そのポーリングに対する応答を，能動通信部１０１に送信し，
　前記セキュア通信機能搭載機器１０ａの能動通信部１０１は，セキュア通信機能搭載機器１０ｂの受動通信部１０６から，ポーリングに対する応答が送信されてくると，その応答を受信し，暗号化鍵と復号鍵とを生成し，そのうち暗号化鍵と能動通信部１０１に割当てられたＩＤ（例えば，ＮＦＣＩＤ等）をセキュア通信機能搭載機器１０ｂの受動通信部１０６へ送信し，
　前記セキュア通信機能搭載機器１０ｂの受動通信部１０６が，上記暗号化鍵とＩＤとを受信すると，セキュア通信機能搭載機器１０ｂの乱数発生部１０８は，セッション鍵として用いられる乱数をランダムに生成し，
　前記セキュア通信機能搭載機器１０ｂの暗号化器１０７は，生成されたセッション鍵を既に受信している上記暗号化鍵で暗号化し，暗号化されたセッション鍵である暗号化セッション鍵を，セキュア通信機能搭載機器１０ｂの受動通信部１０６に割当てられたＩＤ（例えば，ＮＦＣＩＤ等）とともにセキュア通信機能搭載機器１０ａの能動通信部１０１に送信し，
　前記セキュア通信機能搭載機器１０ａの能動通信部１０１が，上記暗号化セッション鍵とＩＤとを受信すると，セキュア通信機能搭載機器１０ａの復号器１０３は，その暗号化セッション鍵を既に生成された復号鍵で復号してセッション鍵を得，
　前記復号器１０３でセッション鍵に復号されると，セキュア通信機能搭載機器１０ａの切換え部１０６は，能動通信部１０１を介して，セキュア通信機能搭載機器１０ｂの受動通信部１０６に対し，ＮＦＣ等の近接通信からＢｌｕｅｔｏｏｔｈ等の広域通信に切り換える切り換え要求を送信し，
　次に，セキュア通信機能搭載機器１０ｂの受動通信部１０６が切換え要求を受信すると，受動通信部１０６は，セキュア通信機能搭載機器１０ａの能動通信部１０１からの切り換え要求に対する応答を，セキュア通信機能搭載機器１０ａの能動通信部１０１に送信し，セキュア通信機能搭載機器１０ａの能動通信部１０１は，その応答を受信し，
　その後，セキュア通信機能搭載機器１０ａは，能動通信部１０１による近接通信から，広域通信部１０４によるＢｌｕｅｔｏｏｔｈ等の広域通信への切り換え（ハンドオーバ）を行い，さらに，セキュア通信機能搭載機器１０ｂも，受動通信部１０６が行う近接通信から，広域通信部１０９による広域通信への切り換え（ハンドオーバ）を行い，
　双方のセキュア通信機能搭載機器１０ａとセキュア通信機能搭載機器１０ｂとがセッション鍵を共有することができたことで，セキュア通信が確立し，セキュア通信機能搭載機器１０ａの能動通信部１０１とセキュア通信機能搭載機器１０ｂの受動通信部１０６との間で近接通信が終了し，
　新たに切換えられたセキュア通信機能搭載機器１０ａの広域通信部１０４とセキュア通信機能搭載機器１０ｂの広域通信部１０９との間で，近接通信で共有したセッション鍵を用いてセキュアなデータ通信が行われ，
　ここで，セッション鍵は，広域通信部１０４にて通信する際の暗号化／復号するための共通鍵となるものであり，
　前記セキュア通信機能搭載機器１０ａの能動通信部１０１は，セキュア通信機能搭載機器１０ｂの受動通信部１０６からＩＤを受信することで，通信相手である受動通信部１０６（セキュア通信機能搭載機器１０ｂ）を特定することができ，また，セキュア通信機能搭載機器１０ｂの受動通信部１０６は，暗号化鍵とともに受信するＩＤによって，通信相手である能動通信部１０１（セキュア通信機能搭載機器１０ａ）を特定することができ，
　前記セキュア通信機能搭載機器１０ａの能動通信部１０１が受信したセキュア通信機能搭載機器１０ｂの受動通信部１０６のＩＤはセキュア通信機能搭載機器１０ａの広域通信部１０４に送信され，また，セキュア通信機能搭載機器１０ｂの受動通信部１０６が受信したセキュア通信機能搭載機器１０ａの能動通信部１０１のＩＤはセキュア通信機能搭載機器１０ｂの広域通信部１０９に伝送され，これにより，セキュア通信機能搭載機器１０ａの広域通信部１０４とセキュア通信機能搭載機器１０ｂの広域通信部１０９との間でも双方で通信相手を特定することができ，
　前記セキュア通信機能搭載機器１０ａは，外部からのセキュア通信搭載機器１０による磁界の変化が１％以上であれば，その変化がそのセキュア通信搭載機器１０による応答であると判断することができ，セキュア通信機能搭載機器１０ａと１０ｃｍ程度離れた近接通信可能な範囲内に存在するセキュア通信機能搭載機器１０ｂは，セキュア通信機能搭載機器１０ａが発生した磁界（又は電磁波）を４％吸収することができるので，セキュア通信機能搭載機器１０ｂは，発生している磁界を１％以上変化させるように，その吸収した磁界を反射することで，セキュア通信機能搭載機器１０ａに応答することができる，
　方法。
（エ）引用文献１に記載の事項
　原査定の拒絶の理由において引用文献１として引用された，本願の優先日前に頒布された又は電気通信回線を通じて公衆に利用可能となった引用文献である，特開２００９−９９０８３号公報（平成２１年５月７日出願公開。以下「引用文献１」という。）には，関連する図面と共に，次の事項が記載されている。（下線は，当審において付加したものである。以下，同じ。）
　ｋ　「【００１０】 　上記従来の課題を解決するために，本発明に係る遠隔医療システムは，
内部ネットワークと，利用者端末と，生体データを計測する測定端末と，前記利用者端末と前記測定端末に装着でき，前記利用者端末に装着することで前記内部ネットワークを介して通信を行う利用者端末用アダプタと，前記測定端末に装着して前記内部ネットワークを介して前記利用者端末用アダプタと通信を行う測定端末用アダプタと，から構成された遠隔医療システム
　ｌ　「【０１３２】
　＜
測定端末１６の構成
　
測定端末１６は，
測定データ保持部１６１と測定部１６２
から構成される
　ｍ　「【０１３８】
　＜（１）
データを測定する場合
　
測定部１６２は
体重を測定したら，そのときの日付と体重データとを組み合わせた測定データを生成し，それを測定データ保持部１６１に格納し
　ｎ　「【０１４０】　＜
測定端末用アダプタ１７の構成
　
測定端末用アダプタ１７は，
測定データ送信処理部１７６
から構成される
　ｏ　「【０１５７】
　
測定データ送信処理部１７６は，測定端末１６の測定データ保持部１６１にアクセスし，測定データＭＤを取得する。
　
測定データ送信処理部１７６は，サービス鍵ＳＫを用いて，測定データＭＤを暗号化， 暗号化測定データＥＮＣＭＤを生成する。
　
測定データ送信処理部１７６は，利用者端末用アダプタ１５の測定データ収集処理部１５１０に対して，暗号化測定データＥＮＣＭＤを送信して終了する。
（オ）引用文献１に記載の技術
　上記（エ）のｋ〜ｏの記載から，引用文献１には，次の技術（以下，「引用文献１に記載の技術」という。）が記載されていると認められる。
（引用文献１に記載の技術）
「利用者端末と，生体データを計測する測定端末と，前記利用者端末に装着することで通信を行う利用者端末用アダプタと，前記測定端末に装着して前記利用者端末用アダプタと通信を行う測定端末用アダプタとから構成される遠隔医療システムにおいて，測定端末用アダプタの測定データ送信処理部は，測定端末の測定部で測定されたユーザの体重等の測定データをサービス鍵を用いて暗号化して利用者端末用アダプタに送信する技術。」
　ウ　引用発明との対比 
　本件補正発明と引用発明とを対比する。
（ア）ａ　引用発明の「セキュア通信機能搭載機器１０ａ，及び，１０ｂ」のそれぞれは，「セキュア通信装置２０」及び「セキュア通信装置２２」を備え，前記「セキュア通信装置２０」は，「ＮＦＣ通信可能な能動通信部１０１」，「広域通信部１０４」などの“無線通信装置”を備え，前記「セキュア通信装置２２」は，「ＮＦＣ通信可能な受動通信部１０６」，「広域通信部１０９」などの“無線通信装置”を備えたものであるから，引用発明の「セキュア通信機能搭載機器１０ａ，及び，１０ｂ」は，本件補正発明の「無線機器」に相当する。
　ｂ　引用発明の「セキュア通信機能搭載機器１０ａ」と「セキュア通信機能搭載機器１０ｂ」とが「通信処理を行う方法」は，「セキュア通信機能搭載機器１０ａ」と「セキュア通信機能搭載機器１０ｂ」が，近接通信を利用して“セッション鍵”を共有することで，「Ｂｌｕｅｔｏｏｔｈ等の広域通信」を行う無線機器として“ペアリング”されているものである。
　したがって，引用発明の「セキュア通信機能搭載機器１０ａ」と「セキュア通信機能搭載機器１０ｂ」とが「通信処理を行う方法」は本件補正発明の「第１および第２の無線機器をペアリングするための方法」に相当する。
　ｃ　引用発明の「通信システム」は，「セキュア通信機能搭載機器１０ａ」と「セキュア通信機能搭載機器１０ｂ」との間で“セキュアな無線通信”を行うものである一方，本件補正発明の「生理的状態管理システム」は，「第１の無線機器」と「第２の無線機器」との間で“セキュアな無線通信”を行うものであるから，引用発明の「通信システム」と本件補正発明の「生理的状態管理システム」とは，ともに，“２つの無線機器の間でセキュアな無線通信を行うシステム”である点で共通する。
　ｄ　上記ａ〜ｃの検討から，引用発明と本件補正発明とは，“２つの無線機器の間でセキュアな無線通信を行うシステムにおいて，第１および第２の無線機器をペアリングするための方法”である点で共通する。
（イ）引用発明の「セキュア通信機能搭載機器１０ａとセキュア通信機能搭載機器１０ｂとが通信処理を行う場合，まず近接通信でセキュア通信を確立する必要があるため，上記セキュア通信機能搭載機器１０ａとセキュア通信機能搭載機器１０ｂとを，近接通信可能な範囲である１０ｃｍ程度の距離の範囲まで予め移動させ」ることは，本件補正発明の「第１の無線機器を第２の無線機器と近接させて配置するステップ」に相当する。
（ウ）ａ　引用発明の「近接通信」は，「ＮＦＣ等の近接通信」であるから，本件補正発明の「近接場通信（ＮＦＣ）」に相当する。
　ｂ　引用発明は，「ＮＦＣ通信可能な能動通信部１０１」と「ＮＦＣ通信可能な受動通信部１０６」とによる「近接通信（ＮＦＣ）」を介して「セッション鍵」を共有することで，「セキュア通信が確立」するものであるから，引用発明の“ＮＦＣを介してセッション鍵を共有してセキュア通信を確立する”ことは本件補正発明の「ＮＦＣリンクを介して通信を確立する」ことに相当する。
　ｃ　引用発明の「セッション鍵」は，「広域通信部１０４にて通信する際の暗号化／復号するための共通鍵となるものであ」るから，本件補正発明の「秘密鍵」に相当する。
　また，引用発明の「乱数発生器１０８」は，「高周波発振回路をサンプリングして真性乱数を発生するハードウェアから構成された回路等」であり，「ランダムに所定の桁数からなる乱数」を発生し，「発生した乱数」は，「セッション鍵のビットパターン」として用いられるものであるから，引用発明の「セッション鍵のビットパターン」として用いられる「乱数」を「ランダムに生成」することは，本件補正発明の「ランダムプロセスを使用して秘密鍵を生成」することに相当する。
　ｄ　引用発明の「乱数発生器１０８」は，受動通信部１０６を備える「セキュア通信機能搭載機器１０ｂ」において「乱数」を生成している一方，本件補正発明は，「前記第１の無線機器において，ランダムプロセスを使用して秘密鍵を生成し」ているから，引用発明の「セキュア通信機能搭載機器１０ｂ」は，「乱数」を生成する側の「無線機器」である点で，本件補正発明の「第１の無線機器」に相当する。
　ｅ　引用発明は，「セキュア通信機能搭載機器１０ｂ」側で生成された「セッション鍵」を暗号化して，「セキュア通信機能搭載機器１０ａ」の「能動通信部１０１」に送信し，「セキュア通信機能搭載機器１０ａ」側の「復号器１０３」で「暗号化セッション鍵」を復号して「セッション鍵」を得ており，その結果，「双方のセキュア通信機能搭載機器１０ａとセキュア通信機能搭載機器１０ｂとがセッション鍵を共有することができ」るものであるから，引用発明の「セキュア通信機能搭載機器１０ｂ」で生成された「セッション鍵」を，当該「セキュア通信機能搭載機器１０ｂ」と共有する「セキュア通信機能搭載機器１０ａ」は，本件補正発明の「第１の無線機器」において生成された「秘密鍵」を，当該「第１の無線機器」と共有する「第２の無線機器」に相当する。
　ｆ　そして，引用発明において，「乱数発生器１０８」が「セッション鍵」を生成し，生成した「セッション鍵」を「セキュア通信機能搭載機器１０ａ」と共有するのは，“セキュア通信”を“確立”するためであるといえる。
　ｇ　上記ａ〜ｆの検討から，引用発明の「セキュア通信」を「確立」するために，「セキュア通信機能搭載機器１０ｂ」の「乱数発生器１０８」が「セッション鍵」を生成し，生成した「セッション鍵」を「セキュア通信機能搭載機器１０ａ」と共有することと，本件補正発明の「前記ＮＦＣリンクを介して通信を確立するために，前記第１および第２の無線機器が互いに近接しているというインジケーションに応答して，前記第１の無線機器において，ランダムプロセスを使用して秘密鍵を生成し，前記第２の無線機器と前記秘密鍵を共有する，ステップ」とは，「前記ＮＦＣリンクを介して通信を確立するために，前記第１の無線機器において，ランダムプロセスを使用して秘密鍵を生成し，前記第２の無線機器と前記秘密鍵を共有する，ステップ」である点で共通する。
（エ）ａ　引用発明の「ＮＦＣ等の近接通信」から「切り換え」られる「Ｂｌｕｅｔｏｏｔｈ等の広域通信」は，「ＮＦＣ等の近接通信」と“異なる”ものであり，また，「Ｂｌｕｅｔｏｏｔｈ等の広域通信」では，「セッション鍵」を用いた「セキュアなデータ通信」が行われるものであるから，引用発明の「Ｂｌｕｅｔｏｏｔｈ等の広域通信」は，本件補正発明の「前記ＮＦＣリンクと異なるセキュア無線周波数（ＲＦ）リンク」に相当する。
　そして，引用発明では，「新たに切換えられたセキュア通信機能搭載機器１０ａの広域通信部１０４とセキュア通信機能搭載機器１０ｂの広域通信部１０９との間」，すなわち，「セキュア通信機能搭載機器１０ａとセキュア通信機能搭載機器１０ｂとの間」で，「近接通信で共有したセッション鍵」を用いて「セキュアなデータ通信」が行われるものであり，ここで，「セッション鍵」は，「広域通信部１０４にて通信する際の暗号化／復号するための共通鍵」となるものであるから，「セキュアなデータ通信」において，「データ」は「セッション鍵」を使用して「暗号化される」ものである。
　してみれば，引用発明の「新たに切換えられたセキュア通信機能搭載機器１０ａの広域通信部１０４とセキュア通信機能搭載機器１０ｂの広域通信部１０９との間で，近接通信で共有したセッション鍵を用いて」「Ｂｌｕｅｔｏｏｔｈ等の広域通信」「が行われ」ることは，本件補正発明の「前記第１および第２の無線機器の間で，前記ＮＦＣリンクと異なるセキュア無線周波数（ＲＦ）リンクを介して信号を送信するステップであって，前記信号は前記秘密鍵を使用して暗号化される，ステップ」に相当する。
（オ）引用発明は，「上記セキュア通信機能搭載機器１０ａ」と「セキュア通信機能搭載機器１０ｂ」とを，「近接通信可能な範囲である１０ｃｍ程度の距離の範囲まで予め移動させ」，その後，「セキュア通信機能搭載機器１０ｂの受動通信部１０６」が「セキュア通信機能搭載機器１０ａの能動通信部１０１」の「ポーリング」に対して「応答」を送信した“後”で，「セッション鍵として用いられる乱数」を生成しているものであるから，引用発明において，「乱数」を生成するタイミングは，「上記セキュア通信機能搭載機器１０ａ」と「セキュア通信機能搭載機器１０ｂ」とを，「近接通信可能な範囲である１０ｃｍ程度の距離の範囲まで予め移動させ」た“後”である。
　したがって，引用発明の「上記セキュア通信機能搭載機器１０ａ」と「セキュア通信機能搭載機器１０ｂ」とを，「近接通信可能な範囲である１０ｃｍ程度の距離の範囲まで予め移動させ」，その後，「セキュア通信機能搭載機器１０ｂの受動通信部１０６」が「セキュア通信機能搭載機器１０ａの能動通信部１０１」の「ポーリング」に対して「応答」を送信した“後”で，「セッション鍵として用いられる乱数」を生成することは，本件補正発明の「前記秘密鍵は，前記ＮＦＣリンクを確立するために前記第１および第２の無線機器が互いに近接して配置された後で生成され」ることに相当する。
（カ）ａ　引用発明の「セキュア通信機能搭載機器１０ｂの受動通信部１０６に割当てられたＩＤ」は，「セキュア通信機能搭載機器１０ａの能動通信部１０１」が「受動通信部１０６」から前記「ＩＤ」を受信することで，通信相手である「受動通信部１０６（セキュア通信機能搭載機器１０ｂ）」を特定することができるものであるから，「セキュア通信機能搭載機器１０ｂ」の“識別子”であるといえる。
　したがって，上記（ウ）ｄの検討も踏まえると，引用発明の「セキュア通信機能搭載機器１０ｂの受動通信部１０６に割当てられたＩＤ」は，本件補正発明の「第１の無線機器の識別子」に相当する。
　ｂ　引用発明の「セキュア通信機能搭載機器１０ａ」の「能動通信部１０１に割当てられたＩＤ」は，「セキュア通信機能搭載機器１０ｂの受動通信部１０６」が，暗号化鍵とともに受信する前記「ＩＤ」によって，通信相手である「能動通信部１０１（セキュア通信機能搭載機器１０ａ）」を特定することができるものであるから，「セキュア通信機能搭載機器１０ａ」の“識別子”であるといえる。
　したがって，上記（ウ）ｅの検討も踏まえると，引用発明の「セキュア通信機能搭載機器１０ａ」の「能動通信部１０１に割当てられたＩＤ」は，本件補正発明の「第２の無線機器の識別子」に相当する。
　ｃ　そして，引用発明の上記各「ＩＤ」は，「能動通信部１０１」が「通信相手である受動通信部１０６（セキュア通信機能搭載機器１０ｂ）」を特定するためのもの，あるいは，「受動通信部１０６」が，「通信相手である能動通信部１０１（セキュア通信機能搭載機器１０ａ）」を特定するためのものである。
　ｄ　また，引用発明は，「前記セキュア通信機能搭載機器１０ａの能動通信部１０１が受信したセキュア通信機能搭載機器１０ｂの受動通信部１０６のＩＤはセキュア通信機能搭載機器１０ａの広域通信部１０４に送信され，また，セキュア通信機能搭載機器１０ｂの受動通信部１０６が受信したセキュア通信機能搭載機器１０ａの能動通信部１０１のＩＤはセキュア通信機能搭載機器１０ｂの広域通信部１０９に伝送され」，これにより，「セキュア通信機能搭載機器１０ａの広域通信部１０４とセキュア通信機能搭載機器１０ｂの広域通信部１０９との間でも双方で通信相手を特定することができ」るというものである。
　ｅ　そうすると，引用発明は，「能動通信部１０１に割当てられたＩＤ」を「受動通信部１０６」に送信し，また，「受動通信部１０６に割当てられたＩＤ」を「能動通信部１０１」に送信しているものの，これらの「ＩＤ」は，いずれも，通信相手を特定するために用いられるものであって，「セキュア通信機能搭載機器１０ｂ」において，「セッション鍵として用いられる乱数」を生成するために用いられるものではない。
　ｆ　したがって，引用発明の「受動通信部１０６に割当てられたＩＤ」（「第１の無線機器の識別子」に相当する。）または「能動通信部１０１に割当てられたＩＤ」（「第２の無線機器の識別子」に相当する。）は，「セッション鍵として用いられる乱数」を生成するために，「セキュア通信機能搭載機器１０ａ」（第２の無線機器）に提供される必要がないものであるから，引用発明と本件補正発明とは，“前記第１または第２の無線機器の識別子は前記秘密鍵を生成するために前記第２の無線機器に提供される必要がない”という点で差異がない。
（キ）上記（ア）〜（カ）の検討から，本件補正発明と引用発明とは，以下の点で一致し，また，相違している。
（一致点） 
「２つの無線機器の間でセキュアな無線通信を行うシステムにおいて，第１および第２の無線機器をペアリングするための方法であって，
　第１の無線機器を第２の無線機器と近接させて配置するステップと，
　前記ＮＦＣリンクを介して通信を確立するために，前記第１の無線機器において，ランダムプロセスを使用して秘密鍵を生成し，前記第２の無線機器と前記秘密鍵を共有する，ステップと，
　前記第１および第２の無線機器の間で，前記ＮＦＣリンクと異なるセキュア無線周波数（ＲＦ）リンクを介して信号を送信するステップであって，前記信号は前記秘密鍵を使用して暗号化される，ステップと，
　を含み，前記秘密鍵は，前記ＮＦＣリンクを確立するために前記第１および第２の無線機器が互いに近接して配置された後で生成され，
　前記第１または第２の無線機器の識別子は前記秘密鍵を生成するために前記第２の無線機器に提供される必要がない，方法。」
（相違点１）
　「２つの無線機器の間でセキュアな無線通信を行うシステム」が，本件補正発明では，「生理的状態管理システム」であるのに対して，引用発明では，「通信システム」である点。
（相違点２）
　ＮＦＣリンクを介して通信を確立するために，本件補正発明では，「前記第１および第２の無線機器が互いに近接しているというインジケーションを生成するステップ」を含んでいるのに対して，引用発明は，そのようなステップを含むことは特定されていない点。
（相違点３）
　「前記第１の無線機器において，ランダムプロセスを使用して秘密鍵を生成し，前記第２の無線機器と前記秘密鍵を共有する」ステップが，本件補正発明では，「前記第１および第２の無線機器が互いに近接しているというインジケーションに応答して」実行されるのに対して，引用発明は，インジケーションに応答することは特定されていない点。
　エ　判断 
　上記相違点について検討する。 
（ア）相違点１について
　本件補正発明には，生理的状態管理システムに関連した特有の情報や処理等を特定する記載は一切ないから，本件補正発明は，単に適用する技術分野を「生理的状態管理システム」と特定したに過ぎないものであるところ，２つの無線機器の間でセキュアな無縁通信を行うことは，「生理的状態管理システム」の技術分野に限らず，広く一般に行われていることからすれば，適用分野を単に「生理的状態管理システム」と限定することに格別の技術的意味があるものではなく，引用発明の適用分野を周知の「生理的状態管理システム」とすることは，当業者が必要に応じて適宜なし得たことである。
　なお，必要であれば，上記イ（オ）の引用文献１に記載の技術を参照されたい。
　上記引用文献１に記載の技術から，遠隔医療システム（引用文献１の「遠隔医療システム」は，体重等の生体情報を管理するものであるから，「生理的状態管理システム」といえるものである。）において，２つの無線機器の間でセキュアな無線通信を行うことは周知技術であると認められる。
（イ）相違点２及び相違点３について
　本件補正発明の「インジケーション」との語に関し，例えば「研究社　新英和大辞典，第６版，第２刷，２００２年５月」には「indication」の意味として「１ 表示するもの，しるし，きざし，兆候；２ａ 指示，指摘；ｂ 表示；３ （各種計器の）表示度数，示度；４ 必要とされること［もの］；５ 〔医学〕（ある処置が必要なことを示す）兆候，指標，適用，適応（症）」と説明されており，また，本願明細書の段落００１４には「図１の例では，ユーザからの命令または，グルコースメータ１０５およびグルコースセンサ１１０が近接しているという別のインジケーションの後，グルコースメータ１０５および／またはグルコースセンサ１１０は，ＮＦＣ無線リンクを使用して共有鍵を交換する。」と記載されていることからすると，本件補正発明の「インジケーション」とは，「指示，あるいはしるし」を意味するものと解される。
　そして，引用発明は，「セキュア通信機能搭載機器１０ａとセキュア通信機能搭載機器１０ｂとを，近接通信可能な範囲である１０ｃｍ程度の距離の範囲まで予め移動させ」ると，１０ｃｍ程度に近接したことを，「セキュア通信機能搭載機器１０ａ」，或いは，「セキュア通信機能搭載機器１０ｂ」，または，その両方が知ることで，次の処理に移行しているのであるから，「セキュア通信機能搭載機器１０ａ」，又は「セキュア通信機能搭載機器１０ｂ」に，１０ｃｍ程度に近接したことを知らしめることが本件補正発明の「インジケーション」に相当するといえる。
　そうすると，引用発明において，「セキュア通信機能搭載機器１０ａ」と「セキュア通信機能搭載機器１０ｂ」とが１０ｃｍ程度に近接した際に，そのことを「セキュア通信機能搭載機器１０ａ」又は「セキュア通信機能搭載機器１０ｂ」が知ることで，次の処理に移行できるようにするために，「セキュア通信機能搭載機器１０ａ及びセキュア通信機能搭載機器１０ｂが互いに近接したことを知らしめるための指示，あるいはしるし」，すなわち，「前記第１および第２の無線機器が互いに近接しているというインジケーション」を生成し，「セキュア通信機能搭載機器１０ａ」及び「セキュア通信機能搭載機器１０ｂ」が，当該「インジケーション」に応答して，次の処理である，「乱数」の生成処理や，当該「乱数」の共有処理を実行するように構成すること，すなわち，上記相違点２及び相違点３に係る構成とすることは，当業者が容易に想到し得たことである。
（ウ）そして，本件補正発明の奏する作用効果は，引用発明，及び引用文献１に記載の技術の奏する作用効果から予測される範囲内のものにすぎず，格別顕著なものということはできない。
　オ　まとめ
　したがって，本件補正発明は，引用発明，及び引用文献１に記載の技術に基づいて当業者が容易に発明することができたものであるから，特許法２９条２項の規定により，特許出願の際独立して特許を受けることができないものである。
　３．むすび 
　以上検討したとおり，本件補正は，特許法１７条の２第６項において準用する同法１２６条７項の規定に違反するので，同法１５９条１項の規定において読み替えて準用する同法５３条１項の規定により却下すべきものである。
　よって，上記補正の却下の決定の結論のとおり決定する。
第３．本願発明について 
１．本願発明 
　令和２年５月７日付けの手続補正（本件補正）は，上記のとおり却下されたので，本願の請求項１ないし２７に係る発明は，平成３０年１０月１０日に補正された特許請求の範囲の請求項１ないし２７に記載された事項により特定されるものであるところ，その請求項７に係る発明（以下「本願発明」という。）は，上記第２の［理由］１．（２）に本件補正前の請求項７として記載したとおりのものである。
２．原査定の拒絶の理由
　原査定の拒絶の理由は，この出願の請求項７に係る発明は，下記の引用文献５に記載された発明及び引用文献１に記載の技術に基づいて，当業者が容易に発明をすることができたものであるから，特許法２９条２項の規定により特許を受けることができない，というものである。
＜引用文献＞
１．特開２００９−９９０８３号公報
５．特開２００６−１４０７６号公報
３．引用文献，引用発明 
　原査定の拒絶の理由で引用された引用文献５の記載事項及び引用発明並びに引用文献１の記載事項は，上記第２の［理由］２．（２）イに記載したとおりである。
４．対比・判断 
　本願発明は，前記第２の［理由］２．（２）で検討した本件補正発明から，「前記第１または第２の無線機器の識別子は前記秘密鍵を生成するために前記第２の無線機器に提供される必要がない」との限定事項を削除したものである。
　そうすると，本願発明の発明特定事項を全て含み，さらに他の事項を付加したものに相当する本件補正発明が，前記第２の［理由］２．（２）ウ，エに記載したとおり，引用発明及び引用文献１に記載の技術に基づいて，当業者が容易に発明をすることができたものであるから，本願発明も，引用発明及び引用文献１に記載の技術に基づいて，当業者が容易に発明をすることができたものである。
第４．むすび 
　以上のとおり，本願の請求項１に係る発明は，引用文献５に記載された発明及び引用文献１に記載の技術に基づいて当業者が容易に発明することができたものであり，特許法２９条２項の規定により特許を受けることができないから，他の請求項について検討するまでもなく，本願は拒絶されるべきものである。
　よって，結論のとおり審決する。